(57)【要約】【課題】遊技板の背後に装着されている遊技制御基板への不正行為を保護する背面カバー体が枠状部材を開閉する際においても容易に開かなくする構造を有した弾球遊技機を提供する。【解決手段】遊技球が流下する遊技領域を正面に有すると共に遊技の制御を行う制御基板を背面に備えた遊技板３と、遊技板を収容可能とする前面枠体４と、前面枠体の背面側に配され遊技球が流下する樋部材６１１を備えた機構枠体６とを有する弾球遊技機において、制御基板を遊技板の背面側から覆う背面カバー体３５０と、背面カバー体に設けられ該背面カバー体を遊技板の背面側に係止させるための係止部３５１と、遊技板の背面側に設けられ係止部と係合する係合部３１１とを備え、機構枠体が前面枠体の背面側に固定された状態において機構枠体の少なくとも一部である樋部材が背面カバー体の少なくとも一部を覆う。【選択図】図１２
2009106584.tif 000002
【特許請求の範囲】
【請求項１】
遊技球が流下する遊技領域を正面に有すると共に遊技の制御を行う制御基板を背面に備えた遊技板と、前記遊技板を収容可能とする前面枠体と、前記前面枠体の背面側に配され遊技球が流下する樋部材を備えた機構枠体とを有する弾球遊技機において、
前記制御基板を遊技板の背面側から覆う背面カバー体と、
前記背面カバー体に設けられ該背面カバー体を前記遊技板の背面側に係止させるための係止部と、
前記遊技板の背面側に設けられ前記係止部と係合する係合部とを備え、
前記機構枠体が前記前面枠体の背面側に固定された状態において前記機構枠体の少なくとも一部が前記背面カバー体の少なくとも一部を覆っていることを特徴とする弾球遊技機。
【請求項２】
前記係止部は前記背面カバー体から突出した係止片を備え、前記背面カバー体は前記係止片の突出量を係止解除するために可変可能な弾性部を有しており、前記機構枠体が前記前面枠体の背面側に固定された状態において前記機構枠体の少なくとも一部が前記弾性部の少なくとも一部を覆っていることを特徴とする請求項１に記載の弾球遊技機。
【請求項３】
前記機構枠体が前記前面枠体の背面に該機構枠体の一側を回動可能に枢着されると共に前記前面枠体の背面には前記機構枠体の他側との回動を規制する回動規制部が備えられて、前記機構枠体が前記前面枠体の背面側に固定され、
前記背面カバー体の一側に前記係止部として前記遊技板と回動可能に係止する回動係止部及び該背面カバー体の他側に前記係止部として前記係止片が備えられ、
前記機構枠体が前記背面カバー体の前記係止部の近傍を被覆する枠形状であることを特徴とする請求項１又は２に記載の弾球遊技機。
【請求項４】
前記係合部には前記係止部である前記係止片が挿入される挿入穴部が設けられ、前記係合部は前記背面カバー体の前記回動係止部を中心とする回動により前記係止片との係合が解除可能に構成され、
前記機構枠体が前記前面枠体に固定されたとき、前記機構枠体は前記背面カバー体の前記回動係止部を中心とする回動を妨げる配置となることを特徴とする請求項３に記載の弾球遊技機。
【請求項５】
前記係止片が、前記背面カバー体の外側を向いて突出していることを特徴とする請求項２又は４に記載の弾球遊技機。
【請求項６】
前記係止片が、前記背面カバー体の内側を向いて突出していることを特徴とする請求項２又は４に記載の弾球遊技機。
【請求項７】
前記遊技板の背面が前記前面枠体の正面側に着脱可能に取り付けられていることを特徴とする請求項１ないし６のいずれか１項に記載の弾球遊技機。
【請求項８】
前記遊技板の正面が前記前面枠体の背面側に着脱可能に取り付けられていることを特徴とする請求項１ないし６のいずれか１項に記載の弾球遊技機。
【請求項９】
前記遊技板が前記前面枠体と前記機構枠体との間に配置され、前記前面枠体と前記機構枠体との固定が解除されて前記機構枠体が開放したときに、前記遊技板は前記前面枠体に着脱可能に取り付けられることを特徴とする請求項１ないし６、８のいずれか１項に記載の弾球遊技機。
【発明の詳細な説明】
【技術分野】
【０００１】
本発明は、パチンコ遊技機等の弾球遊技機に関し、特に遊技機内部に組み込まれている制御基板を保護する背面カバー体が備えられた弾球遊技機に関する。
【背景技術】
【０００２】
パチンコ遊技機等の弾球遊技機においては、通常、遊技者側から奥手に向けて、ガラス窓や貯留皿を備えたガラス枠、このガラス枠が取り付けられる前面枠体、各種の入賞口、液晶等の画像表示装置を備えた遊技板、遊技球の供給装置や電源基板を備えた機構枠体、当該弾球遊技機の外形を維持する木枠とする各種の枠状部材が記載の順に従って組み付けられている。
【０００３】
弾球遊技機の点検、検査、設置の際の利便性を考慮して、前記の枠状部材は開閉可能に設計されている（例えば、特許文献１等参照）。通常、弾球遊技機の遊技制御を担う各種の制御基板は、遊技板の背面側に取り付けられている。そのため、遊技板の交換に際し、遊技機の遊技制御基板も交換される。たいてい、遊技板の背後には遊技制御基板が収容されている基板収容ボックスを被覆する背面カバー体が装着されており、直接遊技制御基板に対して不正行為が行われないように保護されている（同特許文献１の図５等参照）。
【０００４】
ところが従来の弾球遊技機においては、例えば木枠と機構枠体との開閉時に、遊技制御基板を保護している背面カバー体も容易に開閉されてしまう点が指摘されていた。このため、遊技板の背後に背面カバー体を備えたとしてもその内部にある遊技制御基板の保護は必ずしも完全とはいえなかった。前記の各種の枠状部材を開閉する際においても遊技板の背後に装着されている遊技制御基板への不正行為からの保護を高める必要性が求められていた。
【特許文献１】特開２００１−２０４９３６号公報
【発明の開示】
【発明が解決しようとする課題】
【０００５】
本発明は、上記状況に鑑み提案されたものであり、遊技板の背後に装着されている遊技制御基板への不正行為を保護する背面カバー体が枠状部材を開閉する際においても容易に開かなくする構造を有した弾球遊技機を提供する。
【課題を解決するための手段】
【０００６】
すなわち、請求項１の発明は、遊技球が流下する遊技領域を正面に有すると共に遊技の制御を行う制御基板を背面に備えた遊技板と、前記遊技板を収容可能とする前面枠体と、前記前面枠体の背面側に配され遊技球が流下する樋部材を備えた機構枠体とを有する弾球遊技機において、前記制御基板を遊技板の背面側から覆う背面カバー体と、前記背面カバー体に設けられ該背面カバー体を前記遊技板の背面側に係止させるための係止部と、前記遊技板の背面側に設けられ前記係止部と係合する係合部とを備え、前記機構枠体が前記前面枠体の背面側に固定された状態において前記機構枠体の少なくとも一部が前記背面カバー体の少なくとも一部を覆っていることを特徴とする弾球遊技機に係る。
【０００７】
請求項２の発明は、前記係止部は前記背面カバー体から突出した係止片を備え、前記背面カバー体は前記係止片の突出量を係止解除するために可変可能な弾性部を有しており、前記機構枠体が前記前面枠体の背面側に固定された状態において前記機構枠体の少なくとも一部が前記弾性部の少なくとも一部を覆っていることを特徴とする請求項１に記載の弾球遊技機に係る。
【０００８】
請求項３の発明は、前記機構枠体が前記前面枠体の背面に該機構枠体の一側を回動可能に枢着されると共に前記前面枠体の背面には前記機構枠体の他側との回動を規制する回動規制部が備えられて、前記機構枠体が前記前面枠体の背面側に固定され、前記背面カバー体の一側に前記係止部として前記遊技板と回動可能に係止する回動係止部及び該背面カバー体の他側に前記係止部として前記係止片が備えられ、前記機構枠体が前記背面カバー体の前記係止部の近傍を被覆する枠形状であることを特徴とする請求項１又は２に記載の弾球遊技機に係る。
【０００９】
請求項４の発明は、前記係合部には前記係止部である前記係止片が挿入される挿入穴部が設けられ、前記係合部は前記背面カバー体の前記回動係止部を中心とする回動により前記係止片との係合が解除可能に構成され、前記機構枠体が前記前面枠体に固定されたとき、前記機構枠体は前記背面カバー体の前記回動係止部を中心とする回動を妨げる配置となることを特徴とする請求項３に記載の弾球遊技機に係る。
【００１０】
請求項５の発明は、前記係止片が、前記背面カバー体の外側を向いて突出していることを特徴とする請求項２又は４に記載の弾球遊技機に係る。
【００１１】
請求項６の発明は、前記係止片が、前記背面カバー体の内側を向いて突出していることを特徴とする請求項２又は４に記載の弾球遊技機に係る。
【００１２】
請求項７の発明は、前記遊技板の背面が前記前面枠体の正面側に着脱可能に取り付けられていることを特徴とする請求項１ないし６のいずれか１項に記載の弾球遊技機に係る。
【００１３】
請求項８の発明は、前記遊技板の正面が前記前面枠体の背面側に着脱可能に取り付けられていることを特徴とする請求項１ないし６のいずれか１項に記載の弾球遊技機に係る。
【００１４】
請求項９の発明は、前記遊技板が前記前面枠体と前記機構枠体との間に配置され、前記前面枠体と前記機構枠体との固定が解除されて前記機構枠体が開放したときに、前記遊技板は前記前面枠体に着脱可能に取り付けられることを特徴とする請求項１ないし６、８のいずれか１項に記載の弾球遊技機に係る。
【発明の効果】
【００１５】
請求項１の発明に係る弾球遊技機によると、遊技球が流下する遊技領域を正面に有すると共に遊技の制御を行う制御基板を背面に備えた遊技板と、前記遊技板を収容可能とする前面枠体と、前記前面枠体の背面側に配され遊技球が流下する樋部材を備えた機構枠体とを有する弾球遊技機において、前記制御基板を遊技板の背面側から覆う背面カバー体と、前記背面カバー体に設けられ該背面カバー体を前記遊技板の背面側に係止させるための係止部と、前記遊技板の背面側に設けられ前記係止部と係合する係合部とを備え、前記機構枠体が前記前面枠体の背面側に固定された状態において前記機構枠体の少なくとも一部が前記背面カバー体の少なくとも一部を覆っているため、遊技板の背後に装着されている遊技制御基板への不正行為を保護する背面カバー体は、枠状部材を開閉するに際して容易に遊技板側から係止解除されなくなる。
【００１６】
請求項２の発明に係る弾球遊技機によると、請求項１の発明において、前記係止部は前記背面カバー体から突出した係止片を備え、前記背面カバー体は前記係止片の突出量を係止解除するために可変可能な弾性部を有しており、前記機構枠体が前記前面枠体の背面側に固定された状態において前記機構枠体の少なくとも一部が前記弾性部の少なくとも一部を覆っているため、背面カバー体の係止片付近の保護がより高まると共に、背面カバー体は枠状部材を開閉するに際にして容易に遊技板側から係止解除されなくなる。
【００１７】
請求項３の発明に係る弾球遊技機よると、請求項１又は２の発明において、前記機構枠体が前記前面枠体の背面に該機構枠体の一側を回動可能に枢着されると共に前記前面枠体の背面には前記機構枠体の他側との回動を規制する回動規制部が備えられて、前記機構枠体が前記前面枠体の背面側に固定され、前記背面カバー体の一側に前記係止部として前記遊技板と回動可能に係止する回動係止部及び該背面カバー体の他側に前記係止部として前記係止片が備えられ、前記機構枠体が前記背面カバー体の前記係止部の近傍を被覆する枠形状であるため、遊技板と回動可能に係止される背面カバー体とするとき、枠状部材の開閉に際して背面カバー体は容易に遊技板側から係止解除されなくなる。
【００１８】
請求項４の発明に係る弾球遊技機よると、請求項３の発明において、前記係合部には前記係止部である前記係止片が挿入される挿入穴部が設けられ、前記係合部は前記背面カバー体の前記回動係止部を中心とする回動により前記係止片との係合が解除可能に構成され、前記機構枠体が前記前面枠体に固定されたとき、前記機構枠体は前記背面カバー体の前記回動係止部を中心とする回動を妨げる配置となるため、遊技板と回動可能に係止される背面カバー体における回動軸の逆側と遊技板との係止を容易とすると共に、枠状部材を開閉するに際して背面カバー体は容易に遊技板側から係止解除されなくなる。
【００１９】
請求項５の発明に係る弾球遊技機によると、請求項２又は４の発明において、前記係止片が、前記背面カバー体の外側を向いて突出しているため、背面カバー体と遊技板との係止は強まり、外れにくくすることができる。
【００２０】
請求項６の発明に係る弾球遊技機によると、請求項２又は４の発明において、前記係止片が、前記背面カバー体の内側を向いて突出しているため、背面カバー体と遊技板との係止は強まり、外れにくくすることができる。
【００２１】
請求項７の発明に係る弾球遊技機によると、請求項１ないし６のいずれか１項の発明において、前記遊技板の背面が前記前面枠体の正面側に着脱可能に取り付けられているため、背面カバー体が係止された遊技板の着脱を容易にすることができる。
【００２２】
請求項８の発明に係る弾球遊技機によると、請求項１ないし６のいずれか１項の発明において、前記遊技板の正面が前記前面枠体の背面側に着脱可能に取り付けられているため、背面カバー体が係止された遊技板の着脱を容易にすることができる。
【００２３】
請求項９の発明に係る弾球遊技機によると、請求項１ないし６、８のいずれか１項の発明において、前記遊技板が前記前面枠体と前記機構枠体との間に配置され、前記前面枠体と前記機構枠体との固定が解除されて前記機構枠体が開放したときに、前記遊技板は前記前面枠体に着脱可能に取り付けられるため、遊技板背面の遊技制御基板に対する安全性を高めることができる。
【発明を実施するための最良の形態】
【００２４】
以下添付の図面に基づきこの発明の好適な実施形態を説明する。
図１は第一実施例に係る弾球遊技機全体の正面図、図２は図１の背面側からの分解斜視図、図３は前面枠体の背面側の斜視図、図４は遊技板の背面側からの分解斜視図、図５は背面カバー体の斜視図、図６はセンターベースユニットの主要部斜視図、図７は背面カバー体と遊技板との取り付け状態を示す模式図、図８は機構枠体の正面側の斜視図、図９は前面枠体と機構枠体の背面側の斜視図、図１０は背面カバー体と遊技板が取り付けられた前面枠体の背面図、図１１は図１０の側面図、図１２は弾球遊技機の概略横断面図、図１３は別例の弾球遊技機の概略横断面図、図１４は他の背面カバー体の斜視図、図１５はさらに他の背面カバー体の斜視図、図１６は別形態の弾球遊技機に係る背面側の分解斜視図である。
【００２５】
図１に示す弾球遊技機１（実施例ではパチンコ遊技機）は、遊技板３の縁に遊技球の外側誘導レール２１及び内側誘導レール２２が略円形に立設され内側誘導レールによって囲まれて遊技球が流下する遊技領域８の中心線上にその上部から下部に向かって順に表示装置９、普通電動役物である始動入賞口１０、特別電動役物である大入賞口１５、アウト口１７が配設される。表示装置９の左側には普通図柄変動開始用ゲート１９、その下方に第１袖入賞口２３と第２袖入賞口２５、さらには大入賞口１５の両側に左落とし入賞口２７と右落とし入賞口２９が配設されている。前記の種々の入賞口に遊技球が入賞すると所定数の遊技球が賞球として払い出される。また、所定条件で判定結果が当たり（この実施例では大当たり）となると、所定の特別遊技状態となって大入賞口１５が開放され、遊技球が入賞しやすい状態となる。また、普通図柄変動開始用ゲート１９の検出信号により取得される普通図柄の当たり外れに関係する数値が所定値となった場合、始動入賞口１０が拡大開放状態となる。
【００２６】
遊技板３の前面側には払い出された遊技球を受けるための上側球受け皿３２、この上側球受け皿３２の飽和時に遊技球を受けるための下側球受け皿３４、遊技状態を報知するランプ表示器３５，３６、上部スピーカ３７、下部スピーカ３８、遊技操作部材（ジョグシャトル）３９、遊技者の発射操作に応じて遊技球を遊技領域６に向けて弾発発射する発射ハンドルＤ（発射装置Ｈ）がそれぞれ組み付けられている。また、符号３３はスピーカボックス（エンクロージャー）であり前記の下部スピーカ３８を収容する。
【００２７】
表示装置９の画像表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。画像表示部５０は、数字、アルファベット、記号あるいは絵（キャラクタ）等の普通図柄または特別図柄を変動表示及び停止表示可能としている。また、画像表示部５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能である。
【００２８】
図２は弾球遊技機１を構成する各種の枠構造体の背面側からの斜視図である。紙面奥から順に、ガラス枠５、前面枠体４、遊技板３、背面カバー体３５０、機構枠体６、木枠２である。前面枠体４、機構枠体６、木枠２はそれぞれ枠状部材である。各部材について図２を含め図示と共に説明する。
【００２９】
図２に示すガラス枠５は遊技機１の最前面に設けられ、遊技領域を保護するガラス板５０１からなる保護板を支持する枠体である。前出の図１からもわかるように、このガラス枠には上側球受け皿３２、下側球受け皿３４、ランプ表示器３５，３６、上部スピーカ３７、下部スピーカ３８、遊技操作部材（ジョグシャトル）３９が備えられている。ガラス枠５の一側、実施例では遊技者から見て左側の上下には、それぞれ突部を有した取付部５ｈが設けられている。
【００３０】
図２に示す前面枠体４はガラス枠５の背面（遊技者から見て後方側）に配置され、その中央部分に遊技板３を収容する遊技板収容開口部４０１が形成され、遊技板収容開口部４０１の周囲に遊技板押さえ部４０３が４箇所設けられている（図３参照）。遊技板収容開口部４０１の下部には、発射ハンドルＤの裏側位置に発射装置Ｈの他に、遊技球発射ユニット、ファール球通路等が備えられている。
【００３１】
前面枠体４においてもその一側、実施例では遊技者から見て左側の上下には、それぞれ孔部を有した取付部４ｈが設けられている。そこで、前記ガラス枠５の上下の取付部５ｈは、対応する前面枠体４の上下の取付部４ｈに填め込まれ、回動可能に軸支される。なお、ガラス枠と連結を保持するため鍵ユニット（図示せず）等も前面枠体４に設けられる。図３に示すとおり、取付部４ｈの逆側（遊技者から見て右側）には機構枠体６と係着する回動規制部として、鉤部を備えた錠ユニット４０５が設けられている。また、符号４０２は枢着部、４０３は遊技板押さえ部、４０６は前面フック部、３００は台板である。
【００３２】
遊技板３は、図１の正面図に示した遊技領域８を備えた面を弾球遊技機の正面側（遊技者側）に向けて、前掲図３の遊技板押さえ部４０３を介して前面枠体４の背面側に着脱可能に取り付けられる。そこで、機構枠体６が前面枠体４に取り付けられることにより、遊技板３は機構枠体６と前面枠体４との間に配置される。さらに図４を用い、遊技板３の背面側の構造を説明する。遊技板３は主に木製の台板３００からなり、その中央部分には液晶等の画像表示装置４３（画像表示部５０）を正面側に露出させるための遊技板開口部３０１が形成されている。
【００３３】
遊技板開口部３０１の周囲には遊技の制御を行う各種の制御基板を組み付けるため枠形状のセンターベースユニット３０３が取り付けられる。また、遊技板開口部３０１の直下には前出の各種入賞口に入賞した遊技球、アウト口に入った遊技球を回収する集合板３０２も取り付けられる。符号１５１は主制御基板、１５２はサブ制御基板（ランプ制御基板）、１５３は液晶ケース、１５４は音声・図柄制御基板である。これらの制御基板は、図示のように基板収容ケース内に収容され、基板に対する不正行為から保護されている。制御基板は基板収容ケースを通じてねじ等により遊技板３（集合板３０２、センターベースユニット３０３）に固定される。
【００３４】
そして、これらの基板収容ケース内に収容されている制御基板の保護をより高めるため、遊技板の背面側から覆う背面カバー体３５０が備えられる。また、背面カバー体３５０は遊技板３の背面側から取り付けられる。本実施例では、遊技板の背面側に設けられたセンターベースユニット３０３に取り付けられている。このセンターベースユニット３０３には、背面カバー体３５０（係止部３５１）との係合に用いる係合部として挿入穴部３１１及び握持部３２１が設けられている。
【００３５】
背面カバー体３５０については、図５からよくわかるように、遊技板側の基板収容ケース内を被覆する側が部分的に切り取られた略直方体の箱形状である。背面カバー体は、通常、アクリル樹脂等の透明な樹脂素材から形成される。背面カバー体が覆っている各制御基板の視認性を確保するためである。図示実施例の背面カバー体３５０では、その左右方向の一側に当該背面カバー体を遊技板３の背面側に係止させる係止部３５１が設けられ、前記の挿入穴部３１１内に挿入される。
【００３６】
また、同背面カバー体の左右方向の他側には円柱状の回動係止部３６１が設けられる。前記の握持部３２１により回動係止部３６１は握持されて、背面カバー体３５０は回動可能に遊技板３に係止される。つまり、背面カバー体３５０は、係止部３５１が備えられた係止片面部３７１、回動係止部３６１が備えられた回動面部３７２、遊技板の基板収容ケースを背面側から被覆するカバー面部３７３より構成される。
【００３７】
背面カバー体３５０の回動係止部３６１と、遊技板３（センターベースユニット３０３）握持部３２１との係止の様子は図６，７として示した関係となる。握持部３２１は一対の腕部３２１ｓ，３２１ｔからなり、実施例では上下に２個設けられている（図６参照）。そこで、図７の模式図のとおり、一対の腕部３２１ｓ，３２１ｔの開口部分３２２からその中に回動係止部３６１の円柱部３６２が填め込まれる。腕部３２１ｓ，３２１ｔの中には円柱部３６２を摺動可能に握持する空間部３２３が設けられており、その場所で遊嵌状態となるため、図示のように背面カバー体３５０は実線と二点鎖線の間を回動することができる。
【００３８】
図７のような回動可能な構成のみでは背面カバー体は容易に開けられてしまうため、前掲図５のとおり、係止部３５１の先端には背面カバー体外側を向いて突出する係止片３５２が設けられており、背面カバー体３５０と挿入穴部３１１との接続は補助される。係止部３５１を挿入穴部３１１内に挿入しようとする際、背面カバー体は樹脂製であり弾性を有しているため、係止部３５１付近（係止片面部３７１）の背面カバー体（弾性部Ｐａ）を内側へ軽く押さえて僅かに変形させる（撓ませる）ことができる。すると、係止片３５１先端の係止片３５２は背面カバー体の内側に沈み込み、挿入穴部３１１内に侵入するときの抵抗が少なくなる。
【００３９】
図２、図８等に示す機構枠体６は球寄せとも称される。この機構枠体６は、遊技板３の背面に取り付けられている各種制御基板とこれらを覆う背面カバー体３５０を収容する機構枠体開口部６０１を中央部分に備える。このことからもわかるように、枠形状である。機構枠体開口部６０１の周囲には遊技球を供給する樋部材６１１が配置され、前面枠体４を通じてガラス枠５の上側球受け皿３２等に遊技球が払い出される。図２の符号１５４は電源基板、１５５は発射制御基板、１５６は払出制御基板、１５７は払出装置である。
【００４０】
機構枠体６について、その正面側の様子は図８として示される。樋部材６１１には遊技店側から供給される遊技球を受け入れるタンク６１２、遊技球を流すタンクレール６１３が含まれている。機構枠体６の左右方向の一側に機構枠ロック部６０５が設けられ、前面枠体４の錠ユニット４０５（回動規制部）の鉤部分と係合して機構枠体６は前面枠体４と固定される。また、機構枠ロック部６０５の他側に取付部６０２も設けられている。取付部６０２の突部は前面枠体４の枢着部４０２（図３参照）に填め込まれることにより、機構枠体６は一側を回動軸として回動可能に前面枠体４に枢着される。この様子は図９として示される。
【００４１】
これまでの図示と説明から理解できるように、遊技板３は前面枠体４と機構枠体６との間に配置される（図２参照）。そこで、図９に示すように、前面枠体４と機構枠体６との固定が解除されて機構枠体６を開放させたとき、遊技板３は前面枠体４の背面側の所定位置に遊技板押さえ部４０３により着脱自在に取り付けられる。遊技板の配置は弾球遊技機の内部側となることから、遊技板３の交換に手間を要するものの、遊技板から安易に背面カバー体を開けることができず、遊技板背面の各種制御基板に対する安全性を高めることができる。
【００４２】
図２に示す木枠２は弾球遊技機１の構造を維持する枠体であり、下部にスピーカボックス３３が収容される。木枠２の一側には突部を有した取付部２ｈが備えられ、ガラス枠５と一体化した前面枠体４の取付部４ｈの孔部に挿入される。このため、木枠の取付部２ｈを回動軸として、ガラス枠５、前面枠体４、及び機構枠体６は回動可能となる。加えて、木枠２には木枠ロック部２０６が設けられ、前面フック部４０６の鉤部分と係合する。そのため、木枠２と他の枠体との開閉が自在となる。
【００４３】
図１０は、遊技板３に背面カバー体３５０を取り付けた後、これを前面枠体４に装着した背面図である。背面カバー体３５０は、遊技板３背面の各制御基板（基板収容ケース）のほぼ全体を覆う大きさである。さらに、図１０の前面枠体４に機構枠体６を装着させた状態は、図１１の左側面図（遊技者から見ると左手側）のとおり示される。機構枠体６が前面枠体４の背面側４ｂに固定された状態において、当該機構枠体６の少なくとも一部、図示では樋部材６１１が背面カバー体３５０の一部を覆って（隣接して）いる。背面カバー体３５０の係止部３５１（図１０参照）に機構枠体６の樋部材６１１が接近することにより、係止部３５１が挿入穴部３１１から抜けにくく（外れにくく）している。図中の符号４ｆは前面枠体の正面側である。
【００４４】
この様子は図１２の上断面図としても容易に表される。遊技板４の背面側に装着された背面カバー体３５０（図５参照）において、その係止部３５１の近傍に当たる係止片面部３７１に対し、枠形状である機構枠体６の樋部材６１１が接近（あるいは接触）している。そこで、係止片面部３７１は樋部材６１１によって被覆される。従って、図示のとおり、機構枠体６が前面枠体４に固定されたとき、矢印Ｄ１で示す背面カバー体３５０の回動係止部３６１を中心（図７参照）とした回動は、機構枠体６、特にはその樋部材６１１の抵抗を受けて妨げられる。また、図１２では、背面カバー体３５０の最後部が機構枠体開口部６０１より後方に向かって突出している。
【００４５】
このようになるため、いったん前面枠体４に機構枠体６が接続、固定されたときには、機構枠体６の配置により遊技板３の背面側を被覆している背面カバー体３５０を開けることは従来の弾球遊技機よりも困難となる。よって、制御基板に対する不正行為の抑止に効果的となる。
【００４６】
図１３は背面カバー体３５０の回動規制効果をさらに高めた例である。枠形状である機構枠体６の樋部材６１１には、さらに被覆樋部６２０が装着されている。そのため、機構枠体６の少なくとも一部と背面カバー体３５０のと位置関係は、機構枠体６の一部である被覆樋部６２０により、背面カバー体３５０の少なくとも一部が被覆されていることになる。この場合、矢印Ｄ２で示す背面カバー体３５０の回動係止部３６１を中心（図７参照）とした回動は、ほとんど起こり得なくなる。
【００４７】
図１４は別例に係る背面カバー体３５０Ｂである。係止片３５１ｂの先端には背面カバー体内側を向いて突出する係止片３５２ｂが設けられている。係止片３５１ｂ（係止片３５２ｂ）と遊技板３（センターベースユニット３０３）の挿入穴部３１１との接続関係は前記と同様である。図５の背面カバー体３５０と共通する部位は同一符号とした。背面カバー体３５０Ｂにおいて係止部３５１ｂを前出の挿入穴部３１１内に挿入しようとする場合、樹脂製であり弾性を有してため、背面カバー体の弾性部Ｐｂを矢印Ｄ３方向に軽く押さえて僅かに変形させる（撓ませる）ことができる。すると、弾性部Ｐｂに連動して係止片面部３７１が多少外側に膨らみ、係止片３５１ｂ先端の係止片３５２ｂは背面カバー体の外側に向かい、挿入穴部３１１内に侵入するときの抵抗が少なくなる。
【００４８】
図１５はさらに別例に係る背面カバー体３５０Ｃである。図５の背面カバー体３５０と異なり、回動係止部を備えていない。その代わり、背面カバー体３５０Ｃの両側に、係止部３５１α，３５１βが設けられ、その先端に背面カバー体外側を向いて突出する係止片３５２α，３５２βが設けられている。なお、図５の背面カバー体３５０と共通する部位は同一符号とした。背面カバー体３５０Ｃにおいて係止部３５１α，３５１βを遊技板側の挿入穴部（２箇所形成）内に挿入しようとする場合、背面カバー体の左右の弾性部Ｐｃを軽く押さえて内側に僅かに変形させる（撓ませる）ことができる。すると、弾性部Ｐｃ，Ｐｃは多少内側にへこみ、係止片３５１α，３５１β先端の係止片３５２α，３５２βは背面カバー体の内側に向かい、挿入穴部内に侵入するときの抵抗が少なくなる。むろん、係止片３５２α，３５２βの向きを背面カバー体の内側に向けてもよい。
【００４９】
図１６は別形態の弾球遊技機１Ｋに係る背面側を示す分解斜視図となる。この例にあっては、遊技板３の背面は、前面枠体４ｋの正面側に着脱可能に取り付けられる。遊技板３と前面枠体４ｋとの固定に、図３等に示した遊技板押さえ部が用いられる。遊技板押さえ部は前面枠体４ｋの正面側に設けられる。その他、ガラス枠５、機構枠体６、木枠２の取り付けは前記弾球遊技機１の場合と同様である。弾球遊技機１Ｋでは、ガラス枠５と前面枠体４との固定が解除されてガラス枠５が開放されたとき、遊技板３は前面枠体４の正面側の所定位置に遊技板押さえ部により着脱自在に取り付けられる。従って、比較的容易に遊技板の交換を行うことができる。弾球遊技機１Ｋにおいても、機構枠体の一部が背面カバー体の一部を覆う位置関係により、背面カバー体は安易に開かず、安全性は高められている。なお、前面枠体と機構枠体を一体にした集合機構枠体（図示せず）とすることもできる。
【００５０】
既述の実施例は本発明の技術を開示する一つの形態であり、必ずしも実施例の形態に拘泥されるものではない。例えば、背面カバー体を左右方向の回動とするほかに、上下方向の回動として、機構枠体の上部もしくは下部の一部により同背面カバー体を覆う構造としても良い。このようにすると、前面枠体と機構枠体をより大きく開けなければ、背面カバー体を開くことができなくなり、安全性が高まる。また、背面カバー体を遊技板背面に直接取り付けてもよい。さらに、背面カバー体の形状は実施例の形状に限られず、完全に各制御基板を覆う形状であってもよい。他に、各部材の取り付け方法に関しても適宜選択できる。ねじ止めや、所定のレールへの差し込み等も採用される。
【００５１】
本発明の構成については、パチンコ遊技機の実施例を用いて説明した。むろん、パチンコ遊技機のみの適用に限られることはなく、アレンジボール遊技機等の適宜の弾球遊技機に適用することができる。
【図面の簡単な説明】
【００５２】
【図１】第一実施例に係る弾球遊技機全体の正面図である。
【図２】図１の背面側からの分解斜視図である。
【図３】前面枠体の背面側の斜視図である。
【図４】遊技板の背面側からの分解斜視図である。
【図５】背面カバー体の斜視図である。
【図６】センターベースユニットの主要部斜視図である。
【図７】背面カバー体と遊技板との取り付け状態を示す模式図である。
【図８】機構枠体の正面側の斜視図である。
【図９】前面枠体と機構枠体の背面側の斜視図である。
【図１０】背面カバー体と遊技板が取り付けられた前面枠体の背面図である。
【図１１】図１０の側面図である。
【図１２】弾球遊技機の概略横断面図である。
【図１３】別例の弾球遊技機の概略横断面図である。
【図１４】他の背面カバー体の斜視図である。
【図１５】さらに他の背面カバー体の斜視図である。
【図１６】別形態の弾球遊技機に係る背面側の分解斜視図である。
【符号の説明】
【００５３】
１  弾球遊技機
２  木枠
３  遊技板
４  前面枠体
５  ガラス枠
６  機構枠体
８  遊技領域
１５１  主制御基板
３００  台板
３０３  センターベースユニット
３１１  挿入穴部（係合部）
３２１  握持部
３５０  背面カバー体
３５１  係止部
３５２  係止片
３６１  回動係止部
３６２  円柱部
４０３  遊技板押さえ部
４０５  錠ユニット（回動規制部）
６０１  機構枠体開口部
６０５  機構枠ロック部
６１１  樋部材
Ｐａ  弾性部
【図１】
2009106584.tif 000003
【図２】
2009106584.tif 000004
【図３】
2009106584.tif 000005
【図４】
2009106584.tif 000006
【図５】
2009106584.tif 000007
【図６】
2009106584.tif 000008
【図７】
2009106584.tif 000009
【図８】
2009106584.tif 000010
【図９】
2009106584.tif 000011
【図１０】
2009106584.tif 000012
【図１１】
2009106584.tif 000013
【図１２】
2009106584.tif 000014
【図１３】
2009106584.tif 000015
【図１４】
2009106584.tif 000016
【図１５】
2009106584.tif 000017
【図１６】
2009106584.tif 000018